(57)【要約】【課題】面材が屋外側から、より外されにくい建具を提供する。【解決手段】屋内外を仕切る面材と、前記面材の外周側に設けられる枠部材と、前記枠部材の屋外側に取り付けられる押縁と、前記押縁の屋内側にて前記面材の屋外側への移動を規制する規制部材と、前記規制部材を前記枠部材側に係止するための係止部材と、を備え、前記規制部材は、前記面材の屋外側にて当該面材と対面する面材対面部と、前記係止部材に係止されて当該規制部材の屋外方向への移動が規制される係止規制部と、前記面材と前記枠部材との間に挿入されており、前記面材対面部を屋外側に折り曲げようとすると前記面材の外周部にて係止される面材係止部と、を備え、前記係止部材は、前記面材係止部を前記面材と前記枠部材との間から引き出すべく挿入される部材の進入を妨げる進入防止部を有する。【選択図】図２
2010001663.tif 000002
【特許請求の範囲】
【請求項１】
屋内外を仕切る面材と、
前記面材の外周側に設けられる枠部材と、
前記枠部材の屋外側に取り付けられる押縁と、
前記押縁の屋内側にて前記面材の屋外側への移動を規制する規制部材と、
前記規制部材を前記枠部材側に係止するための係止部材と、
を備え、
前記規制部材は、前記面材の屋外側にて当該面材と対面する面材対面部と、
前記係止部材に係止されて当該規制部材の屋外方向への移動が規制される係止規制部と、
前記面材と前記枠部材との間に挿入されており、前記面材対面部を屋外側に折り曲げようとすると前記面材の外周部にて係止される面材係止部と、を備え、
前記係止部材は、前記面材係止部を前記面材と前記枠部材との間から引き出すべく挿入される部材の進入を妨げる進入防止部を有することを特徴とする建具。
【請求項２】
請求項１に記載の建具であって、
前記係止部材は、前記枠部材に固定された際に前記枠部材と間隔を隔てて対面し、前記係止規制部を係止する係止部を備え、
前記係止規制部は、前記係止部と前記枠部材との間に挿入されて当該係止部に係止され、前記面材係止部は前記係止部の端部に沿って隣接して配置されることを特徴とする建具。
【請求項３】
請求項１または請求項２に記載の建具であって、
前記面材係止部は、前記進入防止部より屋内側に挿入されていることを特徴とする建具。
【請求項４】
請求項２または請求項３に記載の建具であって、
前記進入防止部は、前記面材係止部が挿入される方向に沿う壁部を、当該面材係止部に対し前記係止部と反対側に形成することを特徴とする建具。
【請求項５】
請求項１乃至請求項４のいずれかに記載の建具であって、
前記進入防止部は、前記面材と前記枠部材との間に挿入される前記面材係止部を案内する案内部を有することを特徴とする建具。
【発明の詳細な説明】
【技術分野】
【０００１】
本発明は、面材の屋外側への移動を規制する規制部材を有する建具に関する。
【背景技術】
【０００２】
面材の屋外側への移動を規制する規制部材を有する建具としては、たとえば、面材としてのガラスと対峙する外れ止め片と、外れ止め片とほぼ直角をなし、ガラスと枠との間に挿入されて枠側に係止される取付片とが、ほぼＬ字状に形成された外れ止め部材を備えた建具が知られている。しかしながら、このような建具は、外れ止め部材の外れ止め片がガラスから離れる方向に曲げ起こされるとガラスが外されてしまう虞がある。このため、外れ止め片が容易に曲げ起こされないように、外れ止め片から延出させた延出部を設け、延出部を折り曲げるとともにガラスと枠との間に挿入させ、外れ止め片を面材から離れる方向に曲げ起こそうとすると、延出部がガラスの外周部に係止するように構成された建具がある（例えば、特許文献１参照）。
【特許文献１】特開２００５−１９４７２６号公報
【発明の開示】
【発明が解決しようとする課題】
【０００３】
しかしながら、外れ止め部材に延出部が設けられて、外れ止め片を面材から離れる方向に曲げ起こそうとすると、延出部がガラスの外周部に係止するように構成されていたとしても、折り曲げられた延出部は、ガラスと枠との間からドライバー等を差し込んで曲げ戻されると、ガラスと枠との間から引き出されてしまい、比較的容易に、外れ止め片がガラスから離れる方向に曲げ起こされ易い状態とされる虞があるという課題がある。
【０００４】
本発明は、かかる課題に鑑みてなされたものであり、その目的とするところは、面材が屋外側から、より外されにくい建具を提供することにある。
【課題を解決するための手段】
【０００５】
かかる目的を達成するために本発明の建具は、屋内外を仕切る面材と、前記面材の外周側に設けられる枠部材と、前記枠部材の屋外側に取り付けられる押縁と、前記押縁の屋内側にて前記面材の屋外側への移動を規制する規制部材と、前記規制部材を前記枠部材側に係止するための係止部材と、を備え、前記規制部材は、前記面材の屋外側にて当該面材と対面する面材対面部と、前記係止部材に係止されて当該規制部材の屋外方向への移動が規制される係止規制部と、前記面材と前記枠部材との間に挿入されており、前記面材対面部を屋外側に折り曲げようとすると前記面材の外周部にて係止される面材係止部と、を備え、前記係止部材は、前記面材係止部を前記面材と前記枠部材との間から引き出すべく挿入される部材の進入を妨げる進入防止部を有することを特徴とする建具である。
【０００６】
このような建具によれば、係止部材が、面材係止部を面材と枠部材との間から引き出すべく挿入される部材の進入を妨げる進入防止部を有しているので、面材係止部が面材と枠部材との間から引き出されることを防止することが可能である。すなわち、面材係止部は面材と枠部材との間に位置しているので、面材対面部を屋外側に折り曲げようとしても面材係止部が面材の外周部にて係止されるため面材対面部が屋外側に折り曲げられ難い。このため、屋外側からは面材は外されにくいので高い防犯性を備えた建具を提供することが可能である。
【０００７】
かかる建具であって、前記係止部材は、前記枠部材に固定された際に前記枠部材と間隔を隔てて対面し、前記係止規制部を係止する係止部を備え、前記係止規制部は、前記係止部と前記枠部材との間に挿入されて当該係止部に係止され、前記面材係止部は前記係止部の端部に沿って隣接して配置されることが望ましい。  
このような建具によれば、係止規制部が係止部に係止されると、面材係止部は係止部の端部に沿って隣接して配置されるので、面材係止部をさらに折り曲げようとしても面材係止部が係止部に当接されて折り曲げられない。よって、より防犯性の高い建具を提供することが可能である。
【０００８】
かかる建具であって、前記面材係止部は、前記進入防止部より屋内側に挿入されていることが望ましい。  
面材係止部を面材と枠部材との間から屋外側に引き出す場合には、進入防止部より屋内側に、引き出すための部材を挿入すると引き出しやすいが、上記建具は、面材係止部が進入防止部より屋内側に挿入されているので、引き出すための部材は進入防止部により進入を妨げられ、面材係止部を面材と枠部材との間から屋外側に容易に引き出すことはできない。このため、面材係止部は面材と枠部材との間から引き出されにくいので、高い防犯性を備えることが可能である。
【０００９】
かかる建具であって、前記進入防止部は、前記面材係止部が挿入される方向に沿う壁部を、当該面材係止部に対し前記係止部と反対側に形成することとしてもよい。  
このような建具によれば、進入防止部は面材係止部に沿う壁部を係止部と反対側に形成するので、たとえ面材係止部を面材と枠部材との間から引き出すべく挿入される部材が面材と枠部材との間に挿入されたとしても、挿入された部材を面材係止部に接触させることはできない。このため、面材係止部が面材と枠部材との間から引き出されることをより確実に防止することが可能である。
【００１０】
かかる建具であって、前記進入防止部は、前記面材と前記枠部材との間に挿入される前記面材係止部を案内する案内部を有することが望ましい。  
係止部材に進入防止部が設けられると、規制部材を係止部材に係止する際に、面材係止部を面材と枠部材との間に挿入し辛くなるが、進入防止部が面材係止部を案内する案内部を有しているので、面材係止部を案内部に案内させて面材と枠部材との間に容易に挿入することが可能である。このため、規制部材を係止部材に係止させて容易に取り付けることが可能である。
【発明の効果】
【００１１】
本発明によれば、面材が屋外側から、より外されにくい建具を提供することが可能である。
【発明を実施するための最良の形態】
【００１２】
以下、本発明の一実施形態に係る建具について図を参照して説明する。  
本実施形態に係る建具として、屋内外を仕切る面材が開閉不能に枠部材に取り付けられたＦＩＸ窓用の建具を例に挙げて説明する。以下の説明では、建具を屋外側から見たときに上下となる方向を上下方向、左右となる方向を左右方向または見付け方向、屋内外方向である奥行き方向を見込み方向として示す。
【００１３】
本実施形態のＦＩＸ窓用の建具１０は、図１、図２に示すように、面材としてのガラス１２と、ガラス１２の外周側に設けられる枠部材１６と、枠部材１６の屋外側に取り付けられ、枠部材１６とともにガラス１２を保持する押縁１８と、押縁１８の屋内側にてガラス１２の屋外側への移動を規制する規制部材２０と、規制部材２０を枠部材１６側に係止するための係止部材３０と、を備えている。  
ガラス１２は、２枚の板ガラスを互いに間隔を隔てて対面させて一体化された複層ガラスである。
【００１４】
枠部材１６は、樹脂製の４本の押し出し成形部材が枠組みされて矩形状に形成されおり、成形部材にて四方が囲まれた領域内にガラス１２が取り付けられる。枠部材１６の屋内側の部位には、全周にわたり、ガラス１２が取り付けられる領域の内側に突出させて、シール部材５０を介してガラス１２の屋内側の面が当接されるガラス当接部１６ａが設けられている。また、枠部材１６の屋外側の部位には、全周にわたり、押縁１８が嵌め付けられる押縁取付凹部１６ｂが設けられている。すなわち、ガラス１２は、枠部材１６の屋内側に設けられたガラス当接部１６ａと、屋外側に嵌め付けられた押縁１８との間にシール部材５０を介して保持されている。このとき、ガラス１２の左右の側端面１２ａおよび下面１２ｂと枠部材１６の内周面１６ｃとの間には、それぞれ２カ所ずつセッティングブロック５２が介在されてガラス１２が位置決めされている。なお、本実施形態の押縁１８は、シール部材５０が一体成形されている。
【００１５】
また、ガラス１２の左右の側端面１２ａと枠部材１６の内周面１６ｃとの間には、押縁１８が取り外された際にガラス１２が屋外側に外れることを防止するための、ステンレス製の規制部材２０および係止部材３０が設けられている。係止部材３０は、枠部材１６の内周面１６ｃに固定され、規制部材２０は、屋外側からガラス１２の側端面１２ａと枠部材１６の内周面１６ｃとの間に挿入されて係止部材３０に係止される。規制部材２０が係止部材３０に係止されることによりガラス１２の屋外側への移動が規制される。以下の説明では、規制部材２０および係止部材３０が取り付けられた状態にて上下となる方向を上下方向とし、規制部材２０が挿入される先側を屋内側として説明する。
【００１６】
係止部材３０は、図３、図４に示すように、枠部材１６の内周面１６ｃにビス６０にて固定されている。係止部材３０は、枠部材１６のガラス当接部１６ａの屋外側の面に沿って配置されガラス１２の屋内側の面と対面する屋内壁部３１と、屋内壁部３１とほぼ直角をなし枠部材１６の内周面１６ｃに当接される枠当接部３２と、屋内壁部３１とほぼ直角をなし枠部材１６の内周面１６ｃとわずかに間隔を隔てて当該内周面１６ｃと対面する係止部としての枠対面部３３と、枠当接部３２の屋外側の縁からガラス１２側に延出された進入防止部としての屋外側延出部３４とを有している。
【００１７】
係止部材３０は、枠部材１６に固定された状態で、上下の端部側に屋内壁部３１から繋がった板状の枠当接部３２を有しており、上下の枠当接部３２の間には、枠部材１６の内周面１６ｃとほぼ平行をなすように屋内壁部３１から繋がった板状の枠対面部３３が形成されている。枠当接部３２には、ビス６０が貫通されるビス孔（不図示）が形成されており、ビス孔を貫通したビス６０が枠部材１６に締め込まれて枠部材１６に固定されている。
【００１８】
屋外側延出部３４は、２つの枠当接部３２の屋外側の縁部からそれぞれ枠部材１６と反対の方向にほぼ直角に曲げ起こされて形成されている。屋外側延出部３４は、枠当接部３２の上下方向の幅より広く形成されて、上下方向における中央側に延出されている。屋外側延出部３４の、上下の端部側の領域は屋外側に臨む面を有する屋外側壁部３４ａが形成されており、延出されている中央側の領域は、屋内方向に向かって順次、枠対面部３３との間隔が狭くなるような傾斜を有する傾斜部３４ｂが形成されている。
【００１９】
そして、屋外側延出部３４の上下方向における中央側の端部、すなわち屋内側の端部３４ｃと枠対面部３３とは、間隔を隔てて配置されている。この屋外側延出部３４の屋内側の端部３４ｃと枠対面部３３との間の空隙には、後述する規制部材２０の面材係止部としての見込み方向延出部２４が挿入される。また、屋外側延出部３４の傾斜部３４ｂは、見込み方向延出部２４が挿入される際の案内部としても機能する。
【００２０】
枠対面部３３には、矩形状の係止孔３３ａが形成されている。係止孔３３ａには、規制部材２０の後述する係止片２１が係止される。
【００２１】
規制部材２０は、枠部材１６の内周面１６ｃに沿って当該内周面１６ｃと係止部材３０の枠対面部３３との間に挿入される係止規制部２２と、係止規制部２２の屋外側の縁部から延出され係止規制部２２とほぼ直角をなすように形成されガラス１２の屋外側の面と対面する面材対面部２３と、面材対面部２３とほぼ直角をなし、当該面材対面部２３の上下の端部から屋内側に延出された見込み方向延出部２４と、を有している。
【００２２】
係止規制部２２は、上下方向の幅が係止部材３０の枠対面部３３の上下方向の幅より僅かに広い板状の部位であり、中央には係止規制部２２が枠部材１６の内周面１６ｃと枠対面部３３との間に挿入された際に枠対面部３３の係止孔３３ａに係止される係止片２１が形成されている。
【００２３】
係止片２１は、係止規制部２２の中央部分を切り起こして形成されており、屋外側に向かって枠部材１６の内周面１６ｃから順次離れるように傾斜している。また、係止片２１は、ステンレス材が有する弾性により曲げ角度が僅かに変化して復元可能に弾性変化する。このため、係止規制部２２が枠部材１６の内周面１６ｃと枠対面部３３との間に挿入される際には、係止片２１が枠対面部３３と接触して枠部材１６側に押されて曲げ戻され、係止片２１が係止孔３３ａに至って復元されることにより係止片２１の先端が係止孔３３ａから突出して、規制部材２０が係止部材３０に係止される。規制部材２０が係止部材３０に係止されると、規制部材２０は屋外側への移動が規制される。
【００２４】
面材対面部２３は、規制部材２０が係止部材３０に係止された状態で、その先端２３ａがガラス１２の側端面１２ａよりガラス１２の中央側に位置している。このため、規制部材２０が係止部材３０に係止されると、ガラス１２の屋外側に規制部材２０の面材対面部２３が突出した状態となるので、ガラス１２を屋外側に移動させようとするとガラス１２は面材対面部２３と接触するので外すことはできない。
【００２５】
見込み方向延出部２４は、面材対面部２３と同一面の上下に繋がった部位が屋内方向にほぼ直角に折り曲げられて形成されている。このため、規制部材２０が係止部材３０に係止された状態で、見込み方向延出部２４はほぼ水平をなし、係止部材３０の枠対面部３３とほぼ直行するように配置される。すなわち、規制部材２０が係止部材３０に係止された状態では、上側の見込み方向延出部２４の下側に係止部材３０の枠対面部３３が位置しており、下側の見込み方向延出部２４の上側に係止部材３０の枠対面部３３が位置している。このため、上下の見込み方向延出部２４が枠対面部３３を挟むように、枠対面部３３の端部に沿って隣接して配置されているので、上側の見込み方向延出部２４を下方に、また、下側の見込み方向延出部２４を上方にそれぞれ折り込むことができないように構成されている。
【００２６】
上下の見込み方向延出部２４は、ガラス１２と枠部材１６との間に挿入されているので、面材対面部２３を屋外側に折り曲げようとすると、見込み方向延出部２４がガラス１２の外周部としての側端面１２ａに係止されるので、面材対面部２３を屋外側に折り曲げることはできない。すなわち、屋外側からの操作では、面材対面部２３をガラス１２の屋外側の領域から取り除くことはできないので、屋外側からガラス１２を外すことができない。このとき、見込み方向延出部２４は、面材対面部２３との曲げられている方向と異なる方向にて端縁がガラス１２に係止されるので、面材対面部２３を屋外側に折り曲げようとしたとしても、見込み方向延出部２４はより変形しにくいため、より確実に面材対面部２３が屋外側に折り曲げられることを防止することが可能である。
【００２７】
さらに、規制部材２０が係止部材３０に係止された状態、すなわち、見込み方向延出部２４がガラス１２と枠部材１６との間に挿入された状態では、見込み方向延出部２４の曲げ元側、すなわち面材対面部２３側に屋外側延出部３４が設けられている。このため、例えばドライバーのようなものを用いて見込み方向延出部２４を曲げ起こしてガラス１２と枠部材１６との間から引き出そうとしても、ガラス１２と枠部材１６との間から見込み方向延出部２４を引き出すべく挿入される部材は屋外側延出部３４より屋内側に進入し難い。すなわち、ガラス１２と枠部材１６との間から見込み方向延出部２４を引き出すべく挿入される部材の進入を防止することが可能である。
【００２８】
本実施形態の建具１０は、まず、枠部材１６がセッティングブロック５２と係止部材３０とを備えて躯体に取り付けられた状態にて、ガラス１２をセッティングブロック５２に載置するとともに左右を位置あわせして配置する。そして、屋外側からガラス１２と枠部材１６との間に、係止規制部２２と見込み方向延出部２４とを挿入させて各係止部材３０に規制部材２０を係止する。このとき、見込み方向延出部２４は、係止部材３０に設けられた屋外側延出部３４の傾斜部３４ｂに案内されて挿入される。最後に屋外側から押縁１８を嵌合して施工を完了する。
【００２９】
本実施形態の建具１０によれば、係止部材３０が、見込み方向延出部２４をガラス１２と枠部材１６との間から引き出すべく挿入される例えばドライバー等の進入を妨げる屋外側延出部３４を有しているので、見込み方向延出部２４がガラス１２と枠部材１６との間から引き出され難い。すなわち、見込み方向延出部２４はガラス１２と枠部材１６との間に位置しているので、面材対面部２３を屋外側に折り曲げようとしても見込み方向延出部２４がガラス１２の側端面１２ａにて係止されるため規制部材２０が外されることはない。このため、屋外側からはガラス１２は外され難いので高い防犯性を備えた建具１０を提供することが可能である。
【００３０】
また、係止規制部２２が枠対面部３３に係止された状態では、見込み方向延出部２４が枠対面部３３の端部に沿って隣接して配置されるので、見込み方向延出部２４をさらに折り曲げようとすると枠対面部３３に当接されて折り曲げることはできない。よって、より防犯性の高い建具１０を提供することが可能である。
【００３１】
また、見込み方向延出部２４をガラス１２と枠部材１６との間から屋外側に引き出す場合には、屋外側延出部３４より屋内側に、引き出すための部材を挿入すると引き出しやすいが、本実施形態の建具１０は、見込み方向延出部２４が屋外側延出部３４より屋内側に挿入されているので、引き出すための部材は屋外側延出部３４により屋内側への進入が妨げられ、見込み方向延出部２４をガラス１２と枠部材１６との間から屋外側に容易に引き出すことはできない。このため、見込み方向延出部２４はガラス１２と枠部材１６との間から引き出されにくいので、高い防犯性を備えた建具１０を実現することが可能である。
【００３２】
また、係止部材３０に屋外側延出部３４が設けられると、規制部材２０を係止部材３０に係止する際に、見込み方向延出部２４をガラス１２と枠部材１６との間に挿入し難くなるが、屋外側延出部３４が見込み方向延出部２４を案内する傾斜部３４ｂを有しているので、見込み方向延出部２４が傾斜部３４ｂに案内されることによりガラス１２と枠部材１６との間に容易に挿入することが可能である。このため、規制部材２０を係止部材３０に容易に係止させて取り付けることが可能である。
【００３３】
上記実施形態においては、係止部材３０に設けられた屋外側延出部３４を、屋外側に臨む面を有する屋外側壁部３４ａと屋内方向に向かって順次、枠対面部３３との間隔が狭くなるような傾斜を有する傾斜部３４ｂとを備えた構成としたが、これに限るものではない。
【００３４】
例えば、図５に示すように、傾斜部を備えず屋外側に臨む面を有する屋外側壁部３４ａだけで屋外側延出部３４を構成しても良い。また、例えば、進入防止部を、屋外側に臨む面を有する屋外側壁部３４ａではなく、図６に示すように、挿入される見込み方向延出部２４の挿入方向に沿う壁部３４ｄを、上下の枠当接部３２の中央側の縁からそれぞれ曲げ起こして形成しても良い。このとき、上下の枠当接部３２から形成された壁部３４ｄの屋外側の部位３４ｅは、屋外側に向かって順次両者の間隔が広がるように形成されていることが望ましい。
【００３５】
このように、挿入される見込み方向延出部２４が挿入される方向に沿う壁部３４ｄを備えた場合には、壁部３４ｄは、挿入された見込み方向延出部２４に対し枠対面部３３とは反対側に配置されるので、たとえ見込み方向延出部２４をガラス１２と枠部材１６との間から引き出すべく挿入される部材がガラス１２と枠部材１６との間に挿入されたとしても、見込み方向延出部２４に接触することはできない。このため、見込み方向延出部２４がガラス１２と枠部材１６との間から引き出されることをより確実に防止することが可能である。また、見込み方向延出部２４に沿う壁部３４ｄの屋外側の部位３４ｅは、屋外側に向かって順次両者の間隔が広がっているので、規制部材２０をガラス１２と枠部材１６との間に挿入する際には、見込み方向延出部２４がガイドされて容易に規制部材２０を係止部材３０に係止することが可能である。
【００３６】
また、図７に示すように、進入防止部材を、屋外側に臨む面を有する屋外側壁部３４ａと見込み方向延出部２４に沿う壁部３４ｄとにて形成しても良い。このとき、図８に示すように、屋外側に臨む面を有する屋外側壁部３４ａを上下方向の中央側にそれぞれ延出させ、延出した部位をほぼ直角をなすように折り曲げて見込み方向延出部２４に沿う壁部３４ｄを形成しても良い。
【００３７】
また、図９に示すように、上側に位置する枠当接部３２の上端と下側に位置する枠当接部の下端とをそれぞれ曲げ起こして見込み方向延出部２４に沿う壁部３４ｄを形成するとともに、上下の枠当接部３２における上下方向の中央側および屋外側の角部３４ｆを折り曲げて進入防止部を形成したり、図１０に示すように、上側に位置する枠当接部３２の屋外側縁部の上端側の部位と下側に位置する枠当接部３２の屋外側縁部の下端側の部位とをそれぞれ曲げ起こして屋外側に臨む面を有する屋外側壁部３４ａを形成するとともに、上下の枠当接部３２における上下方向の中央側および屋外側の角部３４ｆを折り曲げて進入防止部を形成してもよい。
【００３８】
上記実施形態においては、面材が開閉不能に枠部材に取り付けられたＦＩＸ窓用の建具を例に挙げて説明したが、建具は、障子が開閉可能に取り付けられた開き窓、引き違い窓や片引き窓、倒し窓など用の建具であってもかまわない。この場合には、枠部材は、障子を構成する框となる。
【００３９】
また、上記実施形態では、枠部材を樹脂製としたが、例えばアルミニウム製の押し出し部材であってもよい。また、面材を複層ガラスとしたが、これに限らず、面材は１枚の板ガラスでもよいし、ガラスでなくでもよい。
【００４０】
上記実施形態においては、係止部材３０と規制部材２０とをガラス１２の側方のみに設けた例について説明したが、ガラス１２の上下に設けても良い。
【００４１】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４２】
【図１】本実施形態に係る建具を屋外側から見た図である。
【図２】図１におけるＡ−Ａ断面図である。
【図３】規制部材と係止部材の構成を説明するための平断面図である。
【図４】規制部材が係止部材に取り付けられる様子を説明するための図であり、（ａ）は、係止される前の状態を示す図、（ｂ）は、係止された後の状態を示す図である。
【図５】係止部材の第１変形例を示し、（ａ）は、ガラス側から枠部材側に向かって見た状態を示す図、（ｂ）は、屋外側から見た状態を示す図である。
【図６】係止部材の第２変形例を示し、（ａ）は、ガラス側から枠部材側に向かって見た状態を示す図、（ｂ）は、屋外側から見た状態を示す図である。
【図７】係止部材の第３変形例を示し、（ａ）は、ガラス側から枠部材側に向かって見た状態を示す図、（ｂ）は、屋外側から見た状態を示す図である。
【図８】係止部材の第４変形例を示し、（ａ）は、ガラス側から枠部材側に向かって見た状態を示す図、（ｂ）は、屋外側から見た状態を示す図である。
【図９】係止部材の第５変形例を示し、（ａ）は、ガラス側から枠部材側に向かって見た状態を示す図、（ｂ）は、屋外側から見た状態を示す図である。
【図１０】係止部材の第６変形例を示し、（ａ）は、ガラス側から枠部材側に向かって見た状態を示す図、（ｂ）は、屋外側から見た状態を示す図である。
【符号の説明】
【００４３】
１０  建具、１２  ガラス、１２ａ  側端面、１６  枠部材、１６ｃ  内周面、
１８  押縁、２０  規制部材、２１  係止片、２２  係止規制部、２３  面材対面部、
２４  見込み方向延出部、３０  係止部材、３３  枠対面部、３４  屋外側延出部、
３４ａ  屋外側壁部、３４ｂ  傾斜部、３４ｃ  端部、
３４ｄ  見込み方向延出部に沿う壁部、３４ｅ  壁部の屋外側の部位、３４ｆ  角部
【図１】
2010001663.tif 000003
【図２】
2010001663.tif 000004
【図３】
2010001663.tif 000005
【図４】
2010001663.tif 000006
【図５】
2010001663.tif 000007
【図６】
2010001663.tif 000008
【図７】
2010001663.tif 000009
【図８】
2010001663.tif 000010
【図９】
2010001663.tif 000011
【図１０】
2010001663.tif 000012